(57)【要約】      （修正有）【課題】夾雑物の混入の多い生体試料から糖鎖のみを効率よく確実に精製する方法を提供する。【解決手段】（ａ）生体試料から糖鎖を特異的に捕捉する物質である糖鎖捕捉物質に糖鎖を捕捉する工程、（ｂ）糖鎖を捕捉した糖鎖捕捉物質を洗浄する工程、（ｃ）糖鎖捕捉物質から糖鎖を遊離させる工程、を含み、（ａ）、（ｂ）、（ｃ）の工程を同一の反応容器内で連続して行い、（ｂ）の工程では、（ａ）の工程で糖鎖が捕捉された糖鎖捕捉物質を、界面活性剤を添加した水溶性洗浄液で洗浄する糖鎖精製方法。当該界面活性剤は非イオン性界面活性剤で、特にポリオキシエチレンを有する界面活性剤である。【選択図】図１
2014102216.tif 000002
【特許請求の範囲】
【請求項１】
生体試料中に含有する糖鎖を精製する方法であって、
（ａ）生体試料から糖鎖を特異的に捕捉する物質である糖鎖捕捉物質に糖鎖を捕捉する工程、
（ｂ）糖鎖を捕捉した糖鎖捕捉物質を洗浄する工程
（ｃ）糖鎖捕捉物質から糖鎖を遊離させる工程、
を含み、（ａ）、（ｂ）、（ｃ）の工程を同一の反応容器内で連続して行い
（ｂ）の工程では、（ａ）の工程で糖鎖が捕捉された糖鎖捕捉物質を、非イオン性界面活性剤を添加した水溶性洗浄液で洗浄することを
特徴とする糖鎖精製方法。
【請求項２】
非イオン性界面活性剤の濃度が０．０５〜５重量％である請求項１に記載の糖鎖精製方法。
【請求項３】
前記非イオン性界面活性剤が、ポリオキシエチレンを有する界面活性剤である請求項１または２に記載の糖鎖精製方法。
【請求項４】
前記ポリオキシエチレンを有する界面活性剤が、ポリオキシエチレンソルビタンモノラウリレートである請求項３記載の糖鎖の精製方法。
【請求項５】
（ａ）の工程において、糖鎖捕捉物質が糖鎖のアルデヒド基と特異的に反応する官能基を有する担体である請求項１乃至４いずれか１項に記載の糖鎖精製方法。
【請求項６】
前記官能基が、ヒドラジド基又はアミノオキシ基である請求項５記載の糖鎖精製方法。
【請求項７】
前記糖鎖捕捉物質が下記の（式１）で表される架橋型ポリマー構造を有するものである請求項６記載の糖鎖精製方法。
【化１】
2014102216.tif 000008
（Ｒ1，Ｒ2は−Ｏ−，−Ｓ−，−ＮＨ−，−ＣＯ−，−ＣＯＮＨ−で中断されてもよい炭素数１〜２０の炭化水素鎖，Ｒ3，Ｒ4，Ｒ5はＨ，ＣＨ3，または炭素数２〜５の炭化水素鎖を示す。ｍ，ｎはモノマーユニット数を示す。）
【請求項８】
前記糖鎖捕捉物質が下記の（式２）で表される架橋型ポリマー構造を有するものである請求項７記載の糖鎖精製方法。
【化２】
2014102216.tif 000009
（ｍ，ｎはモノマーユニット数を示す。）
【請求項９】
（ｃ）の工程において、糖鎖捕捉物質に酸処理を行なう工程を有する請求項１乃至８いずれか１項に記載の糖鎖精製方法。
【請求項１０】
（ａ）および（ｃ）の工程において、反応溶媒を蒸発させる工程を有する請求項１乃至９いずれか１項に記載の糖鎖精製方法。
【発明の詳細な説明】
【技術分野】
【０００１】
本発明は、生体試料中に含まれる糖鎖を効率よく精製、標識するための方法に関するものである。
【背景技術】
【０００２】
糖鎖、糖タンパク、糖ペプチド、ペプチド、オリゴペプチド、タンパク、核酸、脂質などといった生体高分子は、医学、細胞工学、臓器工学などのバイオテクノロジー分野において重要な役割を担っており、これら物質による生体反応の制御機構を明らかにすることはバイオテクノロジー分野の発展に繋がることになる。
この中でも、糖鎖は、非常に多様性に富んでおり、天然に存在する生物が有する様々な機能に関与する物質である。糖鎖は生体内でタンパク質や脂質などに結合した複合糖質として存在することが多く、生体内の重要な構成成分の一つである。生体内の糖鎖は細胞間情報伝達， タンパク質の機能や相互作用の調整などに深く関わっていることが明らかにな
りつつある。
【０００３】
なお、糖鎖とは、グルコース， ガラクトース， マンノース， フコース， キシロース，
Ｎ− アセチルグルコサミン， Ｎ − アセチルガラクトサミン， シアル酸などの単糖およびこれらの誘導体がグリコシド結合によって鎖状に結合した分子の総称である。
例えば、糖鎖を有する生体高分子としては、細胞の安定化に寄与する植物細胞の細胞壁のプロテオグリカン、細胞の分化、増殖、接着、移動等に影響を与える糖脂質、及び細胞間相互作用や細胞認識に関与している糖タンパク質等が挙げられる。これらの生体高分子に含まれる糖鎖が、この生体高分子と互いに機能を代行、補助、増幅、調節、あるいは阻害しあいながら高度で精密な生体反応を制御する機構が次第に明らかにされつつある。さらに、このような糖鎖と細胞の分化増殖、細胞接着、免疫、及び細胞の癌化との関係が明確にされれば、この糖鎖工学と、医学、細胞工学、あるいは臓器工学とを密接に関連させて新たな展開を図ることが期待できる。
【０００４】
また、糖タンパク質性医薬品ではその糖鎖が生物活性発現等に重要な役割を担っている場合が多い。したがって、糖タンパク質性医薬品の品質管理のパラメーターとして、糖鎖の評価はきわめて重要であり、特に抗体医薬品についてはその糖鎖構造が抗体依存性細胞傷害活性（ＡＤＣＣ活性）を左右するとの報告がされており、糖鎖構造解析の重要性が高まっている。
【０００５】
そのため近年糖鎖構造を迅速、簡便に、かつ精度高く解析する方法が求められるようになり、高速液体クロマトグラフィ(ＨＰＬＣ)、核磁気共鳴法、キャピラリー電気泳動法（ＣＥ法）、質量分析法、レクチンアレイ法などの多種多様の方法により糖鎖解析が行われている。
【０００６】
これら種々の手法を用いて糖鎖を解析するためには、あらかじめ生体試料中に含まれるタンパク質、ペプチド、脂質、核酸などと糖鎖を分離・精製することが必要である。ＭＡＬＤＩ−ＴＯＦ−ＭＳは簡便でハイスルーップト性に優れるため、広く普及している。しかし、糖鎖はイオン化効率が、ペプチドなど他の夾雑物に比べ悪いため高い感度を得るためには精度の良い精製が必要である。しかしながら、これら糖鎖の精製や標識化は時間と工数がかかり、一度に多種多量の試料を調整するのは困難を要する。
上述した課題を解決する技術として、例えば特許文献１ に記載された特定の糖鎖捕捉物
質を用いて実現される試料調整方法が挙げられる。
【先行技術文献】
【特許文献】
【０００７】
【特許文献１】国際公開第２００８／０１８１７０号
【発明の概要】
【発明が解決しようとする課題】
【０００８】
夾雑物の混入の多い生体試料から糖鎖のみを効率よく確実に精製する方法を実現する。
【課題を解決するための手段】
【０００９】
本発明は以下の通りである。
（１）生体試料中に含有する糖鎖を精製する方法であって、（ａ）生体試料から糖鎖を特異的に捕捉する物質である糖鎖捕捉物質に糖鎖を捕捉する工程、（ｂ）糖鎖を捕捉した糖鎖捕捉物質を洗浄する工程（ｃ）糖鎖捕捉物質から糖鎖を遊離させる工程、を含み、（ａ）、（ｂ）、（ｃ）の工程を同一の反応容器内で連続して行い（ｂ）の工程では、（ａ）の工程で糖鎖が捕捉された糖鎖捕捉物質を、非イオン性界面活性剤を添加した水溶性洗浄液で洗浄することを特徴とする糖鎖精製方法。
（２）非イオン性界面活性剤の濃度が０．０５〜５重量％である（１）に記載の糖鎖精製方法。
（３）前記非イオン性界面活性剤が、ポリオキシエチレンを有する界面活性剤である（１）または（２）に記載の糖鎖精製方法。
（４）前記ポリオキシエチレンを有する界面活性剤が、ポリオキシエチレンソルビタンモノラウリレートである（３）記載の糖鎖の精製方法。
（５）（ａ）の工程において、糖鎖捕捉物質が糖鎖のアルデヒド基と特異的に反応する官能基を有する担体である（１）乃至（４）いずれか１項に記載の糖鎖精製方法。
（６）前記官能基が、ヒドラジド基又はアミノオキシ基である（５）記載の糖鎖精製方法。
（７）前記糖鎖捕捉物質が下記の（式１）で表される架橋型ポリマー構造を有するものである（６）記載の糖鎖精製方法。
【化１】
2014102216.tif 000003
（Ｒ1，Ｒ2は−Ｏ−，−Ｓ−，−ＮＨ−，−ＣＯ−，−ＣＯＮＨ−で中断されてもよい炭素数１〜２０の炭化水素鎖，Ｒ3，Ｒ4，Ｒ5はＨ，ＣＨ3，または炭素数２〜５の炭化水素鎖を示す。ｍ，ｎはモノマーユニット数を示す。）
（８）前記糖鎖捕捉物質が下記の（式２）で表される架橋型ポリマー構造を有するものである（７）記載の糖鎖精製方法。
【化２】
2014102216.tif 000004
（ｍ，ｎはモノマーユニット数を示す。）
（９）（ｃ）の工程において、糖鎖捕捉物質に酸処理を行なう工程を有する（１）乃至（８）いずれか１項に記載の糖鎖精製方法。
（１０）（ａ）および（ｃ）の工程において、反応溶媒を蒸発させる工程を有する（１）乃至（９）いずれか１項に記載の糖鎖精製方法。
【発明の効果】
【００１０】
夾雑物の混入の多い未精製の生体試料から糖鎖のみを効率よく確実に精製する方法を提供することが可能となった。
【図面の簡単な説明】
【００１１】
【図１】実施例および比較例のＭＡＬＤＩ−ＴＯＦ−ＭＳ測定結果
【発明を実施するための形態】
【００１２】
本発明は、生体試料中に含有する糖鎖を標識化する方法であって、
（ａ）生体試料から糖鎖を特異的に捕捉する物質である糖鎖捕捉物質に糖鎖を捕捉する工程、
（ｂ）糖鎖を捕捉した糖鎖捕捉物質を洗浄する工程
（ｃ）糖鎖捕捉物質から糖鎖を遊離させる工程、
を含み、（ａ）、（ｂ）、（ｃ）の工程を同一の反応容器内で連続して行う糖鎖精製方法である。
【００１３】
（ａ）の工程において、糖鎖を特異的に捕捉する物質は糖鎖のアルデヒド基と反応する官能基を有していることが好ましい。官能基としてはヒドラジド基又はオキシルアミノ基で
あることがより好ましい。
このような糖鎖捕捉物質としては、下記（式１）又は（式２）で表される構造を有する架橋型ポリマーを担体として用いることが好ましい。
【００１４】
【化１】
2014102216.tif 000005
（Ｒ1，Ｒ2は−Ｏ−，−Ｓ−，−ＮＨ−，−ＣＯ−，−ＣＯＮ Ｈ−で中断されてもよい
炭素数１〜２０の炭化水素鎖，Ｒ3，Ｒ4，Ｒ5はＨ，ＣＨ3，または炭素数２〜５の炭化水素鎖を示す。ｍ ， ｎ はモノマーユニット数を示す。）
Ｒ 1 は、−Ｏ−，−Ｓ−，−ＮＨ−，−ＣＯ−，−ＣＯＮＨ−で中断されてもよい炭素
数１〜２０の炭化水素鎖を示し、例えば下記のものを挙げることができる。なお式中、ａ、ｂ、ｄは１から５の整数を表し、ｃは１から１０の整数を表す。
【００１５】
【化２】
2014102216.tif 000006
（ｍ，ｎはモノマーユニット数を示す。）
その他市販のヒドラジド基含有架橋粒子、例えば、アフィゲルＨｚ（ＢＩＯ−ＲＡＤ、１５３−６０４７）、ＣａｒｂｏＬｉｎｋ（ＴＭ）ＣｏｕｐｌｉｎｇＧｅｌ（ＰＩＥＲＣＥ、２０３９１）、ＵｌｔｒａＬｉｎｋ（Ｒ）ＨｙｄｒａｚｉｄｅＧｅｌ（ＰＩＥＲＣＥ、５３１４９）などを用いても良い
【００１６】
（ｂ）の洗浄工程は、（ａ）の工程で糖鎖が捕捉された糖鎖捕捉物質を洗浄し、捕捉された糖鎖以外の生体由来物質を除去する工程である。
糖鎖以外の生体由来物質を除去する方法としては、例えば、疎水結合を解離する能力のあるカオトロピック試薬であるグアニジン水溶液や、単純に純水や水溶性緩衝液で洗浄する場合が多いが、本願発明において、界面活性剤、特に非イオン性界面活性剤が効果的であることを見出した。
【００１７】
非イオン性界面活性剤としては、種々の界面活性剤が存在するが、例えばポリオキシエチレンを有する界面活性剤が好適に使用することができる。具体的には、入手のし易さ、取り扱いの容易さより、ポリオキシエチレンソルビタンモノラウリレートを好適に使用することができる。特に、ポリオキシオキシエチレン（２０）ソルビタンモノラウリレート（Ｔｗｅｅｎ２０ＴＭ）を使用することが好ましい。
【００１８】
ポリオキシエチレンを有する界面活性剤を用いる場合、水溶液にして使用する。
当該水溶液としては、純水、緩衝液を好適に使用することができる。
ここで使用する緩衝液としては、例えばリン酸緩衝液、トリス緩衝液等を使用することができる。
ポリオキシエチレンを有する界面活性剤水溶液の濃度としては、好ましくは０．０５〜５
重量％、より好ましくは０．１〜１重量％である。
洗浄工程における洗浄条件としては、温度が４〜４０℃、洗浄時間が１０秒〜３０分である。
【００１９】
洗浄方法としては、ビーズの場合は、洗浄液に浸漬し、洗浄液の交換を繰り返すことで洗浄することができる。
【００２０】
具体的には、遠沈管やチューブにビーズを入れ、洗浄液を加え、振とうの後、遠心操作によりビーズを沈殿させて、上清を除去する操作を繰り返すことにより洗浄する。
例えば、遠心チューブ内にビーズを入れ、洗浄液を加え、ビーズを自然沈降、または、遠心分離により強制的に沈降させた後、上清を除去する操作を繰り返すことで洗浄することができる。前記洗浄操作は３〜６回行うことが好ましい。
プレートの場合は、各ウェル内に洗浄液を分注、吸引除去を繰り返すことで簡便に洗浄することができる。また、必要に応じてプレートを遠心可能な遠心分離機を用いても良い。
【００２１】
また、チューブ状の容器であって、底面部に、液体透過可能で該ビーズが不透過な孔径を有するフィルターを装着するフィルターチューブを用いることも可能である。該フィルターチューブにビーズを入れて使用することで、洗浄に要した洗浄液を、フィルターを介して除去することが可能となり、前記の遠心操作後の上清除去の工程が必要なくなり、作業性の向上を図ることができる。
【００２２】
また、６〜３８４穴のマルチウェルプレートの底部が前記フィルターを装着したものが各種市販されており、これらのプレートを用いることでハイスループット化することが可能である。特に９６穴マルチウェルプレートは、溶液分注機器、吸引除去システム、およびプレートの搬送システム等が開発されており、ハイスループット化に最適である。
【００２３】
この洗浄処理は、連続式にて糖鎖捕捉反応を行った場合には、カラムに洗浄溶液を通して糖鎖捕捉反応から連続的に処理してもよい。また、マルチプレートを用いた場合には、ろ過操作あるいは遠心操作により糖鎖捕捉物質以外の物質を除去してもよい。
【００２４】
（ｃ）の工程では、糖鎖が捕捉された糖鎖捕捉物質から糖鎖を遊離させる、すなわち糖鎖を糖鎖捕捉物質から切り出す反応を行う。この工程では、酸と有機溶媒の混合溶媒あるいは酸と水と有機溶媒の混合溶媒にて、糖鎖捕捉物質に酸処理を行うのが好ましい。酸と水と有機溶媒の混合溶媒の場合、水の含有率は好ましくは０．１％〜９０％、より好まし
くは０．１％〜８０％、さらに好ましくは０．１％〜５０％である。水の代わりに水性緩衝液を含有しても良い。緩衝液の濃度は好ましくは０．１ｍＭ〜１Ｍ、より好ましくは０．１ｍＭ〜５００ｍＭ、さらに好ましくは１ｍＭ〜１００ｍＭである。反応溶液のｐＨは好ましくは２〜９、より好ましくは２〜７であり、さらに好ましくは２〜６である。使用する酸は例えば、酢酸、ギ酸、トリフルオロ酢酸、塩酸、クエン酸、リン酸、硫酸が好ましく、より好ましくは酢酸、ギ酸、トリフルオロ酢酸、リン酸、さらに好ましくは酢酸、トリフルオロ酢酸である。反応温度に関しては４〜９０℃が好ましく、好ましくは２５〜９０℃で、さらに好ましくは４０〜９０℃である。反応時間は、１０分間〜２４時間、好ましくは１０分間〜８時間、より好ましくは１０分間〜３時間である。反応は、糖鎖を遊離させる反応を効率よく行う観点から、開放系で行って溶媒を完全に蒸発させることが好ましい。
【００２５】
弱酸性から中性付近で、糖鎖遊離反応を行うことができるため、従来の強酸性処理、たとえば１０％トリフルオロ酢酸処理による切出しのような強酸の存在下での切出し反応に比べて、シアル酸残基の脱離など糖鎖の加水分解などを引き起こすことを抑制することができるようになる。
【００２６】
次の工程としては、糖鎖捕捉担体から糖鎖を切り離す工程になる。
糖鎖捕捉担体から糖鎖を切り離す方法には、還元的アミノ化法と交換反応法がある。
還元アミノ化法は、例えばアミノ基を有する物質を過剰に加えることにより還元的アミノ化反応を惹起し、糖鎖捕捉担体より糖鎖を遊離する方法である。
また、交換反応法とは、ヒゾラゾン結合からオキシム試薬を用いたオキシム交換反応を利用した糖鎖を遊離する方法である。
【００２７】
まず、還元アミノ化法について詳細に記載する。
還元アミノ化法は、糖鎖が捕捉された糖鎖捕捉物質から糖鎖を遊離させる、すなわち糖鎖を糖鎖捕捉物質から切り出す反応である。この工程では、酸と有機溶媒の混合溶媒あるいは酸と水と有機溶媒の混合溶媒にて、糖鎖捕捉物質に酸処理を行うのが好ましい。酸と水と有機溶媒の混合溶媒の場合、水の含有率は好ましくは０．１％〜９０％、より好ましくは０．１％〜８０％、さらに好ましくは０．１％〜５０％である。水の代わりに水性緩衝液を含有しても良い。緩衝液の濃度は好ましくは０．１ｍＭ〜１Ｍ、より好ましくは０．１ｍＭ〜５００ｍＭ、さらに好ましくは１ｍＭ〜１００ｍＭである。反応溶液のｐ Ｈ は好ましくは２〜９、より好ましくは２〜７であり、さらに好ましくは２〜６である。使用する酸は例えば、酢酸、ギ酸、トリフルオロ酢酸、塩酸、クエン酸、リン酸、硫酸が好ましく、より好ましくは酢酸、ギ酸、トリフルオロ酢酸、リン酸、さらに好ましくは酢酸、トリフルオロ酢酸である。反応温度に関しては４〜９０℃が好ましく、好ましくは２５〜９０℃で、さらに好ましくは４０〜９０℃である。反応時間は、１０分間〜２４時間、好ましくは１０分間〜８時間、より好ましくは１０分間〜３時間である。反応は、糖鎖を遊離させる反応を効率よく行う観点から、開放系で行って溶媒を完全に蒸発させることが好ましい。
【００２８】
弱酸性から中性付近で、糖鎖遊離反応を行うことができるため、従来の強酸性処理、たとえば１ ０ ％ トリフルオロ酢酸処理による切出しのような強酸の存在下での切出し反応
に比べて、シアル酸残基の脱離など糖鎖の加水分解などを引き起こすことを抑制することができるようになる。
【００２９】
続けて上記工程で得られた遊離の糖鎖を標識化することも可能である。
標識化の方法は、アミノ基を有する化合物により、例えば還元的アミノ化反応を用いて任意のアミノ化合物で標識化する反応であることが好ましい。反応系においてｐ Ｈ が酸性から中性の条件であるのが好ましく、好ましくは２〜９、より好ましくは２〜８であり、さらに好ましくは２〜７である。反応温度に関しては４〜９０℃が好ましく、好ましくは２５〜９０℃ で、さらに好ましくは４０〜９０℃である。アミノ化合物の濃度は、１ｍ
Ｍ 〜１０Ｍであるのが好ましく、還元剤の濃度は、１ｍＭ〜１０Ｍであるのが好ましい
。反応時間は、１０分間〜２４時間、好ましくは１０分間〜８時間、より好ましくは１０分間〜 ３時間である。
【００３０】
ここで、アミノ基を有する化合物は、紫外可視吸収特性又は蛍光特性を有することが好ましく、具体的には下記の群から選ばれる少なくとも１つであることが好ましい。
８−Ａｍｉｎｏｐｙｒｅｎｅ−１，３，６−ｔｒｉｓｕｌｆｏｎａｔｅ，８−Ａｍｉｎｏｎａｐｈｔｈａｌｅｎｅ−１，３，６−ｔｒｉｓｕｌｐｈｏｎａｔｅ，７−ａｍｉｎｏ−１，３−ｎａｐｈｔａｌｅｎｅｄｉｓｕｌｆｏｎｉｃａｃｉｄ，２−Ａｍｉｎｏ９（１０Ｈ）−ａｃｒｉｄｏｎｅ，５−Ａｍｉｎｏｆｌｕｏｒｅｓｃｅｉｎ，Ｄａｎｓｙｌｅｔｈｙｌｅｎｅｄｉａｍｉｎｅ，２−Ａｍｉｎｏｐｙｒｉｄｉｎｅ，７−Ａｍｉｎｏ−４−ｍｅｔｈｙｌｃｏｕｍａｒｉｎｅ，２−Ａｍｉｎｏｂｅｎｚａｍｉｄｅ，２−Ａｍｉｎｏｂｅｎｚｏｉｃａｃｉｄ，３−Ａｍｉｎｏｂｅｎｚｏｉｃａｃｉｄ，７−Ａｍｉｏ−１−ｎａｐｈｔｈｏｌ，３−（Ａｃｅｔｙｌａｍｉｎｏ）−６−ａｍｉｎｏａｃｒｄｉｎｅ，２
−Ａｍｉｎｏ−６−ｃｙａｎｏｅｔｈｙｌｐｙｒｉｄｉｎｅ，Ｅｔｈｙｌｐ−ａｍｉｎｏｂｅｎｚｏａｔｅ，ｐ−Ａｍｉｎｏｂｅｎｚｏｎｉｔｒｉｌｅ，及び７−ａｍｉｎｏｎａｐｈｔｈａｌｅｎｅ−１，３−ｄｉｓｕｌｆｏｎｉｃａｃｉｄ。
【００３１】
特に、アミノ化合物が２−ａｍｉｎｏｂｅｎｚａｍｉｄｅの場合、ｐＨが酸性から中性の条件で、好ましくは２〜９、より好ましくは２〜８であり、さらに好ましくは２〜７である。反応温度に関しては４〜９０℃、好ましくは３０〜９０℃で、さらに好ましくは４０〜８０℃である。アミノ化合物の濃度は１ｍＭ〜１０Ｍ、好ましくは１０ｍＭ〜１０Ｍで、さらに好ましくは１００ｍＭ〜１Ｍである。還元剤の濃度は、１ｍＭ〜１０Ｍ、好ましくは１０ｍＭ〜１０Ｍ 、さらに好ましくは１００ｍＭ〜２Ｍである。反応時間は、１０
分間〜２４時間、好ましくは１０分間〜８時間、さらに好ましくは１時間〜３時間である。
また、還元剤は例えば、シアノ水素化ホウ素ナトリウム、メチルアミンボラン、ジメチルアミンボラン、トリメチルアミンボラン、ピコリンボラン、ピリジンボランなどが使用可能であるが、シアノ水素化ホウ素ナトリウムを使用するのが反応性の面から考えて好ましい。
【００３２】
先の糖鎖切り離し工程後、得られる溶液は標識された糖鎖と過剰量加えた未反応アミノ化合物、還元剤が存在するため、これら余剰試薬を除去する工程を行うのが好ましい。シリカカラムによる除去、ゲル濾過による除去、イオン交換樹脂による除去、いずれの方法を用いても良いが、シアル酸の離脱を防ぐために使用する溶媒は中性であるのが好ましい。
【００３３】
もう一方の交換反応は、洗浄操作後、アミノオキシ基を有する化合物を作用させることにより、ヒドラゾン−オキシム交換反応によって糖鎖がポリマー粒子から切り離され、同時にアミノオキシ化合物によってラベル化される反応を用いて糖鎖を遊離させる。
【００３４】
アミノオキシ基を有する化合物としては、下記から選ばれた物質またはその塩であることが好ましい。
Ｏ−ｂｅｎｚｙｌｈｙｄｒｏｘｙｌａｍｉｎｅ;  Ｏ-ｐｈｅｎｙｌｈｙｄｒｏｘｙｌａｍｉｎｅ; Ｏ−（２，３，４，５，６−ｐｅｎｔａｆｌｕｏｒｏｂｅｎｚｙｌ）ｈｙｄｒｏｘｙｌａｍｉｎｅ;  Ｏ−（４−ｎｉｔｒｏｂｅｎｚｙｌ）ｈｙｄｒｏｘｙｌａｍｉｎｅ;
２−ａｍｉｎｏｏｘｙｐｙｒｉｄｉｎｅ;  ２−ａｍｉｎｏｏｘｙｍｅｔｈｙｌｐｙｒ
ｉｄｉｎｅ; ４−［（ａｍｉｎｏｏｘｙａｃｅｔｙｌ）ａｍｉｎｏ］ｂｅｎｚｏｉｃ ａ
ｃｉｄ ｍｅｔｈｙｌ  ｅｓｔｅｒ;  ４−［（ａｍｉｎｏｏｘｙａｃｅｔｙｌ）ａｍｉｎｏ］ｂｅｎｚｏｉｃ  ａｃｉｄ  ｅｔｈｙｌ  ｅｓｔｅｒ; ４−［（ａｍｉｎｏｏｘｙａｃｅｔｙｌ）ａｍｉｎｏ］ｂｅｎｚｏｉｃ  ａｃｉｄ  ｎ−ｂｕｔｙｌｅｓｔｅｒ.
【００３５】
アミノオキシ基を有する化合物は、アルギニン残基、トリプトファン残基、フェニルアラニン残基、チロシン残基、システイン残基およびこれら誘導体の少なくとも一つからなる部分を含むことが好ましい。特に下記（式３）で表される構造を有するものが好ましい。
【化３】
2014102216.tif 000007
【００３６】
交換反応時の反応液のｐＨは、ｐＨ２〜７が好ましく、ｐＨ３〜６がより好ましく、ｐＨ３．５〜５．５が最も好ましい。酢酸／アセトニトリル溶液を加えることにより、反応液を上記のｐＨに調整することができる。交換反応時の温度は、５０〜９５℃が好ましく、６０〜９０℃がより好ましく、７０〜９０℃が最も好ましい。交換反応時、反応容器を開放して加熱操作を行うことにより、溶媒を蒸発させながら反応を進め、最終的に乾固させることにより、効率よく交換反応を行うことができる。
【００３７】
回収したラベル化糖鎖溶液はそのまま、あるいは、過剰に含まれるアミノオキシ化合物を除去したのち、質量分析法やＨＰＬＣなどの分析手段によって分析することができる。以上、糖鎖精製方法について説明したが、次にその具体的方法について実施例を挙げて説明する。
【実施例】
【００３８】
以下、実施例で本発明を説明するがこれに限定されるものではない。
【００３９】
＜実施例＞
（糖鎖サンプルの調整）
ウシ血清由来ＩｇＧ（ＳＩＧＭＡ、Ｉ５５０６）１ ｍｇを１００ｍＭ重炭酸アンモニウ
ム（和光純薬、０１７−０２８７５）５０μLに溶解させた後、１２０ｍＭ  ＤＴＴ（ジ
チオスレイトール、ＳＩＧＭＡ、Ｄ９７７９）を５μＬ加え、６０℃で３０分間反応させた。反応終了後、１２３ｍＭ  ＩＡＡ（ヨードアセトアミド、和光純薬、０９３−０２１５２）１０μＬを加えて遮光下、室温で１時間反応させた。続いて４００Ｕのトリプシン（ＳＩＧＭＡ、Ｔ０３０３）によってプロテアーゼ処理をし、タンパク質部分をペプチド断片化した。反応溶液を９０℃で５分処理した後、５ＵのグリコシダーゼＦ（Ｒｏｃｈｅ、１−３６５−１９３）による処理を行って糖鎖をペプチドから遊離させ、予備処理済の生体試料を得た。
【００４０】
（糖鎖捕捉担体による糖鎖精製）
糖鎖捕捉用の担体であるヒドラジド基を有する粒子５ｍｇ（ＢｌｏｔＧｌｙｃｏ（Ｒ））、住友ベークライト株式会社製、ＢＳ−４５６０３）が入ったディスポカラムに上記糖鎖溶液２０μＬおよび１８０μＬの２％酢酸／アセトニトリル溶液を加え、８０℃で１時間反応させた。反応は開放系で行い、溶媒が完全に蒸発し粒子が乾固した状態であることを
目視で確認した。０．５％Ｔｗｅｅｎ２０水溶液で洗浄後、さらに水、トリエチルアミン溶液にて粒子を洗浄した。続いて１０％無水酢酸／メタノールを添加し、室温で３０分間反応させ、未反応のヒドラジド基をキャッピングした。キャッピング後、水にて粒子を洗浄した。
【００４１】
続いて、粒子の入ったディスポカラムに超純水２０μLおよび２％酢酸／アセトニトリ
ル溶液１８０μＬを加え、７０℃で１．５時間反応させ、糖鎖捕捉用担体から糖鎖を遊離した。反応は開放系で行い、溶媒が完全に蒸発し粒子が乾固した状態であることを目視で確認した。
【００４２】
（糖鎖の回収）
乾固した粒子に水５０μＬを加え、溶液のみを回収した。同様の操作をさらに２回実施し、合計１５０μＬの糖鎖溶液を得た。
【００４３】
（糖鎖の検出）
得られた糖鎖溶液を得られた糖鎖サンプルをマトリックス支援レーザーイオン化−飛行時間型質量分析器（MALDI-TOF-MS）（MALDI-TOF-MS, Bruker社製 'autoflex III'）によ
り分析した。マトリックスには2,5-ジヒドロキシ安息香酸を用いた。測定結果を図１（下段）に示す。
【００４４】
＜比較例＞
（糖鎖サンプルの調整）
実施例と同様に実施。
【００４５】
（糖鎖捕捉担体による糖鎖精製）
粒子の洗浄に用いる洗浄液を０．５％Ｔｗｅｅｎ２０水溶液からグアニジン塩酸塩水溶液に変更した以外は実施例に同じ。
【００４６】
（糖鎖の回収）
実施例と同様に実施。
【００４７】
（糖鎖の検出）
実施例と同様に実施。測定結果を図１の上段に示す。
【００４８】
（効果）
グアニジン塩酸塩水溶液による洗浄では除き切れなかった、夾雑物ピークをＴｗｅｅｎ２０による洗浄によって排除することができる。
【図１】
2014102216.tif 000010